(57)【要約】      （修正有）【課題】本考案は、ソーラー発電だけでなく風力発電も利用できるようにしてランニングコストを低く抑えることができるハイブリット装飾光源装置を提供する。【解決手段】ハイブリット装飾光源装置１０のコントローラー１２には電子切替スイッチ１４が設けられ、電子切替スイッチ１４にはコンセント用コード１６の基端部１６Ａとソーラー発電装置２２に接続されたソーラー発電用コード２０の基端部２０Ａと風力発電装置３２に接続された風力発電用コード３０の基端部３０Ａが配設されている。前記コントローラー１２には電圧検出器４２が設けられて電子切替スイッチ１４に接続されると共にコンセント用コード１６、ソーラー発電用コード２０、風力発電用コード３０に接続され、電気の電圧が充電可能か否かを検知するようになっている。電気を充電する蓄電池４６は多数のＬＥＤライト６４が取り付けられた光源コード６０と接続されている。【選択図】図２
0003103155.tif 000002
【実用新案登録請求の範囲】
【請求項１】
コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続されると共に多数の装飾光源が設けられた光源コードと、を有してなることを特徴とするハイブリット装飾光源装置。
【請求項２】
コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続された点滅制御装置と、この点滅制御装置に接続されると共に多数の装飾光源が設けられた光源コードと、を有してなることを特徴とするハイブリット装飾光源装置。
【請求項３】
コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記風力発電用コードの中間部に設けられて前記風力発電装置で発電された交流電気を直流電気に変換する交流直流変換器と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続された点滅制御装置と、この点滅制御装置に接続されると共に多数の装飾光源が設けられた光源コードと、を有してなることを特徴とするハイブリット装飾光源装置。
【請求項４】
前記装飾光源をＬＥＤライトにしたことを特徴とする請求項１、請求項２、請求項３記載のハイブリット装飾光源装置。
【考案の詳細な説明】
【技術分野】
【０００１】
本考案は、主に住宅の塀、樹木、クリスマスツリー等に飾り付けられて夜間にＬＥＤライト等の装飾光源を点灯させて使用されるハイブリット装飾光源装置に関する。
【背景技術】
【０００２】
近年、住宅の塀、樹木、クリスマスツリー等に豆ライト等からなる装飾光源を飾り付けて夜間に前記装飾光源を点灯させることによりライトアップを図る装飾光源装置が広く親しまれるようになっている。
従来、この装飾光源装置の装飾光源を点灯させる場合は装飾光源装置のコントローラーに接続されたコンセント用コードのプラグを屋内や屋外に設けられたコンセントに差し込んで装飾光源を点灯している。
しかし、長時間にわたって多数の装飾光源を点灯すると装飾光源装置が消費する電気代が高額になってランニングコストが増大してしまう。
そこで、前記装飾光源装置のランニングコストを抑えることができるように、装飾光源装置にソーラー発電装置を接続させてソーラー発電装置で発電された電気を優先的に使用してランニングコストを抑える装飾光源装置が提案されている。
しかし、晴天時の場合はソーラー発電装置で発電された電気を装飾光源装置に使用することができるが、夜間時や雨天時、曇天時等においてはソーラー発電装置は稼働しないため、装飾光源装置のプラグをコンセントに差し込んで電力会社から供給を受けた電気で装飾光源装置の装飾光源を点灯している。
この結果、このタイプの装飾光源装置においてもランニングコストを低く抑えることが困難である。
【考案の開示】
【考案が解決しようとする課題】
【０００３】
本考案は、上記事実に鑑みなされたものでありソーラー発電だけでなく風力発電も利用することによりソーラー発電が利用できないときは風力発電を利用することによりランニングコストを低く抑えることができるハイブリット装飾光源装置を提供するものである。
【課題を解決するための手段】
【０００４】
請求項１の考案は、コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続されると共に多数の装飾光源が設けられた光源コードと、を有してなることを特徴としている。
請求項２の考案は、コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続された点滅制御装置と、この点滅制御装置に接続されると共に多数の装飾光源が設けられた光源コードと、を有してなることを特徴としている。
請求項３の考案は、コントローラーの内部に設けられた切替スイッチと、この切替スイッチに基端部が接続可能に配設されたコンセント用コードと、前記切替スイッチに基端部が接続可能に配設されたソーラー発電用コードと、このソーラー発電用コードの先端部が接続されたソーラー発電装置と、前記切替スイッチに基端部が接続可能に配設された風力発電用コードと、この風力発電用コードの先端部が接続された風力発電装置と、前記風力発電用コードの中間部に設けられて前記風力発電装置で発電された交流電気を直流電気に変換する交流直流変換器と、前記コンセント用コード、ソーラー発電用コード、風力発電用コードに接続されてコンセントから供給される電気及び前記ソーラー発電装置、風力発電装置で発電された電気の電圧が充電可能か否かを検知判断すると共に判断結果信号を前記切替スイッチに送って切替スイッチの切替を行う電圧検出器と、前記切替スイッチに接続されてコンセントから供給される電気及び前記ソーラー発電装置、風力発電装置で発電された電気が充電される蓄電池と、この蓄電池に接続された点灯スイッチと、この点灯スイッチに接続されると共に所定の暗さを感知すると点灯スイッチをオンにし所定の明るさを感知すると点灯スイッチをオフにする光センサーと、前記点灯スイッチに接続された点滅制御装置と、この点滅制御装置に接続されると共に多数の装飾光源が設けられた光源コードと、を有してなることを特徴としている。
請求項４の考案は、前記装飾光源をＬＥＤライトにしたことを特徴としている。
【考案の効果】
【０００５】
本考案のハイブリット装飾光源装置は、装飾光源を点灯させるための電気をソーラー発電装置だけでなく風力発電装置からも供給できるのでソーラー発電装置が稼働できない場合は風力発電装置によって装飾光源を点灯できるため、ランニングコストを低く抑えることができるという優れた効果を有する。
また、本考案のハイブリット装飾光源装置は、可及的にソーラー発電装置又は風力発電装置で発電された電気で装飾光源を点灯させるため、電力会社からの電気の消費量を抑えることにより電力不足問題の遠因を取り除くことができるという優れた効果を有する。
また、本考案のハイブリット装飾光源装置は、環境に悪影響を与えることが少ないソーラー発電装置及び風力発電装置で発電された電気を優先的に使用して装飾光源を点灯させるため、環境にやさしいという優れた効果を有する。
なお、請求項４の本考案は前記優れた効果の他に装飾光源に消費電力の少ないＬＥＤライトを使用したので一段と消費電力を下げられると共により優れた装飾効果を奏することができるという優れた効果を有する。
【考案を実施するための最良の形態】
【０００６】
考案を実施するために最良の形態の例として以下のような実施例を示す。
【実施例１】
【０００７】
図１及び図２には本考案に係るハイブリット装飾光源装置の一実施例が示されている。
図２に示されるように、ハイブリット装飾光源装置１０の箱状のコントローラー１２の内部には切替スイッチとしての電子切替スイッチ１４が設けられている。この電子切替スイッチ１４にはコンセント用コード１６の基端部１６Ａが接続可能に配設され、コンセント用コード１６の先端部１６Ｂにはアダプター１８が設けられている。このアダプター１８にはプラグ１８Ａが設けられ、プラグ１８Ａを屋内や屋外に設けられたコンセント（図示せず）に差し込むことにより電力会社からの電気を供給できるようになっている。
また、前記電子切替スイッチ１４にはソーラー発電用コード２０の基端部２０Ａが接続可能に配設され、ソーラー発電用コード２０の先端部２０Ｂは公知のソーラー発電装置２２のソーラーパネル２４に接続されている。
図１に示されるように、前記ソーラー発電装置２２の支柱２６の上端部には傾斜状態でパネル台２８が設けられ、このパネル台２８に前記ソーラーパネル２４が設けられている。
図２に示されるように、前記電子切替スイッチ１４には風力発電用コード３０の基端部３０Ａが接続可能に配設され、風力発電用コード３０の先端部３０Ｂは公知の風力発電装置３２のモーター３４に接続されている。
図１に示されるように、前記風力発電装置３２の支柱３６の上端部には回転自在なプロペラ３８が設けられている。このプロペラ３８が風を受けて回ると前記モーター３４が回転して発電するようになっている。
図２に示されるように、前記風力発電用コード３０の中間部には交流直流変換器４０が設けられ、風力発電装置３２のモーター３４で発電された交流電気を直流電気に変換するようになっている。
また、前記コントローラー１２内には電圧検出器４２が設けられている。この電圧検出器４２は前記電子切替スイッチ１４に接続されると共に前記コンセント用コード１６、ソーラー発電用コード２０、風力発電用コード３０にそれぞれ接続されている。
そして、前記電圧検出器４２は前記コンセントから供給される電気及びソーラー発電装置２２、風力発電装置３２で発電された電気の電圧を検知し、この電気の電圧が充電可能な電圧か否かを検知、判断するようになっている。
また、前記電圧検出器４２はソーラー発電装置２２で発電された電気の電圧がコード４４を介して電子切替スイッチ１４と接続された蓄電池４６に充電可能な電圧になっていると判断した場合は電子切替スイッチ１４に信号を送るようになっている。この信号を受けた電子切替スイッチ１４はソーラー発電用コード２０の基端部２０Ａと接続し、これによりソーラー発電装置２２で発電された電気は前記蓄電池４６に充電されることになる。
また、前記電圧検出器４２がソーラー発電装置２２で発電された電気の電圧が充電可能な電圧になっていないと判断した場合は風力発電装置３２で発電された電気の電圧を検知し風力発電装置３２からの電圧が充電に可能な電圧になっているか否かを検知、判断する。そして、風力発電装置３２で発電された電気の電圧が充電可能な電圧になっていると判断した場合は電子切替スイッチ１４に信号を送るようになっている。この信号を受けた電子切替スイッチ１４は風力発電用コード３０の基端部３０Ａと接続し、これにより風力発電装置３２で発電された電気は前記蓄電池４６に充電されることになる。
なお、前記電圧検出器４２がソーラー発電装置２２及び風力発電装置３２で発電された電気の電圧が共に充電可能な電圧になっていないと判断した場合は電子切替スイッチ１４に信号を送るようになっている。この信号を受けた電子切替スイッチ１４はコンセント用コード１６の基端部１６Ａと接続し、これによりコンセントからの電気が前記蓄電池４６に充電されることになる。
また、前記電圧検出器４２は前記蓄電池４６にも接続され、蓄電池４６がフル充電状態になるとそれを検知して蓄電池４６に電気の供給を停止させる信号を電子切替スイッチ１４に送るようになっている。これにより、電子切替スイッチ１４は前記コンセント用コード１６、ソーラー発電用コード２０、風力発電用コード３０のいずれとも非接触状態になるため、電気消費が止められるようになる。
図２に示されるように、前記蓄電池４６はコード４８を介して点灯スイッチ５０に接続されている。この点灯スイッチ５０には光センサー５２が接続されている。この光センサー５２は予め設定された所定の暗さを感知すると信号を前記点灯スイッチ５０に送って点灯スイッチ５０をオンにし、予め設定された所定の明るさを感知すると前記点灯スイッチ５０に信号を送って点灯スイッチ５０をオフにするようになっている。
また、前記点灯スイッチ５０はコード５４を介して点滅制御装置５６に接続され、点滅制御装置５６は光源コード６０の基端部６０Ａと接続されている。
図１に示されるように、この光源コード６０の中間部６０Ｂ及び先端部６０Ｃには多数の枝コード６２が分岐され、枝コード６２の先端部に装飾光源として消費電力が少なくて壊れ難い発光ダイオード（Ｌｉｇｈｔ  Ｅｍｉｔｔｉｎｇ  Ｄｉｏｄｅ）を光源としたＬＥＤライト６４が取り付けられている。
【０００８】
前記実施例のハイブリット装飾光源装置１０の作用について説明する。
ハイブリット装飾光源装置１０を使用する場合は予めプラグ１８Ａを屋内又は屋外に設けられたコンセントに差し込んでおく。
このハイブリット装飾光源装置１０は、晴天時において太陽光がソーラー発電装置２２のソーラーパネル２４に当たるとソーラーパネル２４により太陽光の光エネルギーが電気エネルギーに変換されて発電される。
また、風が吹いて風力発電装置３２のプロペラ３８が回ると、モーター３４が回転してモーター３４が発電する。
一方、前記電圧検出器４２はソーラー発電装置２２で発電された電気の電圧を検知し、ソーラー発電装置２２で発電された電気の電圧が充電に可能な電圧になっているか否かを検知、判断する。そして、前記電圧検出器４２がソーラー発電装置２２で発電された電気の電圧が充電可能な電圧になっていると判断した場合は電子切替スイッチ１４に信号を送り、電子切替スイッチ１４がソーラー発電用コード２０の基端部２０Ａと接続する。これによりソーラー発電装置２２で発電された電気は蓄電池４６に充電される。
そして、日が沈んで暗くなり予め設定された所定の暗さを光センサー５２が感知すると光センサー５２は前記点灯スイッチ５０に信号を送って点灯スイッチ５０をオンにする。これにより、蓄電池４６に充電された電気が通電してＬＥＤライト６４が点滅状態で点灯して周囲をライトアップさせる。なお、日が昇って明るくなり予め設定された所定の明るさを光センサー５２が感知すると光センサー５２は前記点灯スイッチ５０に信号を送って点灯スイッチ５０をオフにする。これにより、蓄電池４６に充電された電気が通電しなくなるのでＬＥＤライト６４が消灯する。
また、前記電圧検出器４２がソーラー発電装置２２で発電された電気の電圧を検知して、電圧が充電可能な電圧になっていないと判断した場合は風力発電装置３２で発電された電気の電圧が充電可能な電圧になっているか否かを検知、判断する。そして、風力発電装置３２で発電された電気の電圧が充電可能な電圧になっていると判断した場合は電子切替スイッチ１４に信号を送り、電子切替スイッチ１４が風力発電用コード３０の基端部３０Ａと接続する。これにより風力発電装置３２で発電された電気は蓄電池４６に充電される。
従って、前記ハイブリット装飾光源装置１０においては夜間時や天候等の関係でソーラー発電装置２２を稼動させることができない時でも風が吹いていれば風力発電装置３２で発電された電気を蓄電池４６に充電することができるため、前記ＬＥＤライト６４を点灯させることができる。
なお、前記電圧検出器４２がソーラー発電装置２２及び風力発電装置３２で発電された電気の電圧が共に充電可能な電圧になっていないと判断した場合は、電圧検出器４２は前記電子切替スイッチ１４に信号を送り、電子切替スイッチ１４がコンセント用コード１６の基端部１６Ａと接続する。これにより電力会社から供給を受けた電気が蓄電池４６に充電されるので、このような場合においても前記ＬＥＤライト６４を点灯させることができる。
従って、前記ハイブリット装飾光源装置１０においてはソーラー発電装置２２又は風力発電装置３２で発電した電気を優先的に使用して前記ＬＥＤライト６４を点滅状態で点灯させることができるので、電力会社から供給される電気消費量を極めて低く抑えることによりハイブリット装飾光源装置１０のランニングコストを低く抑えることができる。
また、ハイブリット装飾光源装置１０においては電力会社から供給される電気をできる限り使用しないので、電力不足問題の一原因の発生を阻止することができる。
さらに、ハイブリット装飾光源装置１０は主に環境にやさしいソーラー発電装置２２及び風力発電装置３２で発電して電気を得ているため環境に悪影響を及ぼすことがない。
【０００９】
なお、実施例ではＬＥＤライト６４を点滅状態で点灯させるようにしたために点滅制御装置５６を設けたが、ＬＥＤライト６４を点滅させないで点灯させる場合は点滅制御装置５６を設ける必要が無いことは勿論である。
【００１０】
なお、実施例では装飾光源として消費電力が少なくて壊れ難いＬＥＤライト６４を使用した例を示したが、装飾光源は必ずしもＬＥＤライト６４に限定されるものでなく、豆電球等を使用してもよいことは勿論である。
【図面の簡単な説明】
【００１１】
【図１】実施例のハイブリット装飾光源装置の概略全体斜視図である。
【図２】実施例のハイブリット装飾光源装置のブロック図である。
【符号の説明】
【００１２】
１０    ハイブリット装飾光源装置
１２    コントローラー
１４    電子切替スイッチ
１６    コンセント用コード
２０    ソーラー発電用コード
２２    ソーラー発電装置
３０    風力発電用コード
３２    風力発電装置
４０    交流直流変換器
４２    電圧検出器
４６    蓄電池
５０    点灯スイッチ
５２    光センサー
５６    点滅制御装置
６０    光源コード
６４    ＬＥＤライト
【図１】
0003103155.tif 000003
【図２】
0003103155.tif 000004